(57)【特許請求の範囲】
【請求項１】
線材を掛架可能な並列一対のドラム及び該ドラム間に配置されたダイスにより線材を伸線するに際し、上記一対のドラムをそれぞれ巻取回転及び逆回りの繰出回転自在に設けると共に該一対のドラムをそれぞれドラムの軸線方向に互いに異方向往復移動自在に設け、かつ、上記ダイスをダイス径の異なるダイスに交換自在に設け、該一方のドラムから上記ダイスを通過して他方のドラムに至る線材のパスラインを一定にすると共に線材の干渉巻きを回避すべく上記一対のドラムを互いに異方向に移動させて線材の損傷を防いで伸線し、次いで、上記ダイス径の異なるダイスに交換すると共に他方のドラムから該ダイスを通過して一方のドラムに至る線材のパスラインを一定にすると共に線材の干渉巻きを回避すべく上記一対のドラムを互いに異方向に移動させて線材の損傷を防いで再伸線することを特徴とする伸線方法。
【請求項２】
上記線材の両端部を止着具により上記一対のドラムにそれぞれ止着することを特徴とする請求項１記載の伸線方法。
【請求項３】
線材を掛架可能な並列一対のドラム及び該ドラム間に配置されて該線材を伸線するダイスを備えてなり、上記一対のドラムをそれぞれ巻取回転及び逆回りの繰出回転自在に設けると共に該一対のドラムをそれぞれドラムの軸線方向に互いに異方向往復移動自在に設け、かつ、上記ダイスをダイス径の異なるダイスに交換自在に設け、該一方のドラムから上記ダイスを通過して他方のドラムに至る線材のパスラインを一定にすると共に線材の干渉巻きを回避すべく上記一対のドラムを互いに異方向に移動させて線材の損傷を防いで伸線すると共に他方のドラムから該ダイス径の異なるダイスに交換した該ダイスを通過して一方のドラムに至る線材のパスラインを一定にすると共に線材の干渉巻きを回避すべく上記一対のドラムを互いに異方向に移動させて線材の損傷を防いで再伸線する制御部を具備してなることを特徴とする伸線装置。
【請求項４】
上記線材の両端部を上記一対のドラムにそれぞれ止着する止着具を設けてなることを特徴とする請求項３記載の伸線装置。
【請求項５】
上記止着具は一方端部に上記線材の端部に係脱可能な線材係脱部及び他方端部に上記ドラムに係脱可能なドラム係脱部をもつ鎖部材からなることを特徴とする請求項３又は４記載の伸線装置。
【発明の詳細な説明】
【技術分野】
【０００１】
本発明は例えば金線や銀線などの定寸の金属線材を伸線する際に用いられる伸線方法及びその装置に関するものである。
【背景技術】
【０００２】
従来、この種の伸線装置として、線材を並列状に掛架可能な並列一対の段車又は円すい状のドラム及びドラム間に配置されたダイスにより線材を伸線する構造のものが知られている。
【特許文献１】特開平７−２３６９１１号
【発明の開示】
【発明が解決しようとする課題】
【０００３】
しかしながらこの従来構造の場合、定寸状の線材を連続して伸線する構造に適するものの複雑化することがあると共に大きな設置スペースを必要とすることがあるという不都合を有している。
【課題を解決するための手段】
【０００４】
本発明はこれらの不都合を解決することを目的とするもので、本発明のうちで、請求項１記載の方法の発明は、線材を掛架可能な並列一対のドラム及び該ドラム間に配置されたダイスにより線材を伸線するに際し、上記一対のドラムをそれぞれ巻取回転及び逆回りの繰出回転自在に設けると共に該一対のドラムをそれぞれドラムの軸線方向に互いに異方向往復移動自在に設け、かつ、上記ダイスをダイス径の異なるダイスに交換自在に設け、該一方のドラムから上記ダイスを通過して他方のドラムに至る線材のパスラインを一定にすると共に線材の干渉巻きを回避すべく上記一対のドラムを互いに異方向に移動させて線材の損傷を防いで伸線し、次いで、上記ダイス径の異なるダイスに交換すると共に他方のドラムから該ダイスを通過して一方のドラムに至る線材のパスラインを一定にすると共に線材の干渉巻きを回避すべく上記一対のドラムを互いに異方向に移動させて線材の損傷を防いで再伸線することを特徴とする伸線方法にある。
【０００５】
又、請求項２記載の方法の発明は、上記線材の両端部を止着具により上記一対のドラムにそれぞれ止着することを特徴とするものである。
【０００６】
又、請求項３記載の装置の発明は、線材を掛架可能な並列一対のドラム及び該ドラム間に配置されて該線材を伸線するダイスを備えてなり、上記一対のドラムをそれぞれ巻取回転及び逆回りの繰出回転自在に設けると共に該一対のドラムをそれぞれドラムの軸線方向に互いに異方向往復移動自在に設け、かつ、上記ダイスをダイス径の異なるダイスに交換自在に設け、該一方のドラムから上記ダイスを通過して他方のドラムに至る線材のパスラインを一定にすると共に線材の干渉巻きを回避すべく上記一対のドラムを互いに異方向に移動させて線材の損傷を防いで伸線すると共に他方のドラムから該ダイス径の異なるダイスに交換した該ダイスを通過して一方のドラムに至る線材のパスラインを一定にすると共に線材の干渉巻きを回避すべく上記一対のドラムを互いに異方向に移動させて線材の損傷を防いで再伸線する制御部を具備してなることを特徴とする伸線装置にある。
【０００７】
又、請求項４記載の装置の発明は、上記線材の両端部を上記一対のドラムにそれぞれ止着する止着具を設けてなることを特徴とするものであり、又、請求項５記載の発明は、上記止着具は一方端部に上記線材の端部に係脱可能な線材係脱部及び他方端部に上記ドラムに係脱可能なドラム係脱部をもつ鎖部材からなることを特徴とするものである。
【発明の効果】
【０００８】
本発明は上述の如く、請求項１又は３記載の発明にあっては、線材を掛架可能な並列一対のドラム及びドラム間に配置されたダイスにより線材を伸線するに際し、上記一対のドラムをそれぞれ巻取回転及び逆回りの繰出回転自在に設けると共に一対のドラムをそれぞれドラムの軸線方向に互いに異方向往復移動自在に設け、かつ、上記ダイスをダイス径の異なるダイスに交換自在に設け、一方のドラムから上記ダイスを通過して他方のドラムに至る線材のパスラインを一定にすると共に線材の干渉巻きを回避すべく上記一対のドラムを互いに異方向に移動させて線材の損傷を防いで伸線し、次いで、上記ダイス径の異なるダイスに交換すると共に他方のドラムからダイスを通過して一方のドラムに至る線材のパスラインを一定にすると共に線材の干渉巻きを回避すべく上記一対のドラムを互いに異方向に移動させて線材の損傷を防いで再伸線することになり、伸線構造を簡素化することができると共に装置の設置スペースを小さくすることができ、かつ、線材を重ねずに巻き取ることができて線材の損傷を防ぐことができ、伸線作業性を高めることができる。
【０００９】
又、請求項２又は４記載の発明にあっては、上記線材の両端部を上記一対のドラムにそれぞれ止着する止着具を設けてなるから、上記一対のドラムに対する線材の両端部の止着を容易に行うことができ、又、請求項５記載の発明にあっては、上記止着具は一方端部に上記線材の端部に係脱可能な線材係脱部及び他方端部に上記ドラムに係脱可能なドラム係脱部をもつ鎖部材からなるので、上記一対のドラムに対する線材の両端部の止着を確実に行うことができる。
【発明を実施するための最良の形態】
【００１０】
図１乃至図１０は本発明の実施の形態例を示し、１・２はドラムであって、この場合、一対のドラム１・２の外周面は線材Ｗを掛架可能な平滑面に形成され、機台Ｍに並列配置されている。
【００１１】
３はダイスであって、この場合、上記一対のドラム１・２間にして機台ＭのダイスホルダＨ・Ｈに配置されている。
【００１２】
この場合、上記一対のドラム１・２はそれぞれ制御用モータ１ａ・２ａ及び伝動機構１ｂ・２ｂにより巻取回転及び逆回りの繰出回転自在に設けられ、かつ、これら一対のドラム１・２は制御用モータ１ｃ・２ｃ及び案内部１ｄ・２ｄによりそれぞれドラム１・２の軸線Ｏ１・Ｏ２方向に互いに異方向往復移動自在に設けられている。
【００１３】
又、この場合、上記ダイス３はダイス径の異なるダイス３に交換自在に設けられている。
【００１４】
４は止着具であって、この場合、一方端部に上記線材Ｗの端部に係脱可能な線材係脱部５及び他方端部に上記ドラム１・２に係脱可能なドラム係脱部６をもつ鎖部材からなり、この線材係脱部５は、ドラム１・２に支持片５ａを固定し、止着具４の一方端部に係合片５ｂを取付け、この係合片５ｂに線材Ｗを固定可能な楔片５ｃを嵌脱自在に設け、係合片５ｂに係止穴５ｄを穿設し、支持片５ａに係合片５ｂを挟装して係止穴５ｄに嵌脱自在な嵌脱ピン５ｅを設けてなり、又、上記ドラム係脱部６は、止着具４の他方端部に係合ピン６ａを取付け、ドラム１・２に係合ピン６ａに嵌脱可能な嵌入溝６ｂを形成し、上記線材Ｗの端部をそれぞれ上記一対のドラム１・２に止着するように構成されている。
【００１５】
７は制御部であって、プログラム制御回路を備えてなり、上記一方のドラム１から上記ダイス３を通過して他方のドラム２に至る線材ＷのパスラインＰＬを一定にすると共に線材Ｗの干渉巻きを回避すべく一対のドラム１・２を互いに異方向に移動させて伸線すると共に他方のドラム２からダイス径の異なるダイス３に交換したダイス３を通過して一方のドラム１に至る線材ＷのパスラインＰＬを一定にすると共に線材Ｗの干渉巻きを回避すべく上記一対のドラム１・２を互いに異方向に移動させて再伸線するように構成されている。
【００１６】
８は線材ドラムであって、制御用モータ８ａ及び伝動機構８ｂにより回転駆動され、伸線前の線材Ｗを他方のドラム２に供給したり、又は伸線後の線材Ｗをドラム２から案内ロール９・１０を介して巻取可能に構成されている。
【００１７】
この実施の形態例は上記構成であるから、先ず、図６の如く、例えば、回転台Ｆ上の定寸の線材Ｗをダイス３を通して他方のドラム２に止着具４により止着し、ドラム２を巻取回転ＲＭさせ、かつ、制御部７により上記ダイス３を通過して他方のドラム２に至る線材ＷのパスラインＰＬを一定にすると共に線材Ｗの干渉巻きを回避すべく上記ドラム２を移動させ、ドラム２の軸線Ｏ２回りの回転ＲＭ及び軸線Ｏ２方向の移動によりドラム２に巻き取り、線材の損傷を防いで伸線することになる。
【００１８】
そして、図７、図８の如く、上記ダイス３をダイス径の異なるダイスに交換し、他方のドラム２に巻き取られた線材Ｗをダイス３を通して一方のドラム１に止着し、このドラム１を巻取回転ＲＭさせると共にドラム２を繰出回転ＲＨさせ、かつ、制御部７により他方のドラム２から上記ダイス３を通過して一方のドラム１に至る線材ＷのパスラインＰＬを一定にすると共に線材Ｗの干渉巻きを回避すべく、一対のドラム１・２を互いに異方向に移動させて線材の損傷を防いで再伸線することになる。
【００１９】
次いで、図９、図１０の如く、ダイス３をダイス径の異なるダイスに交換し、一方のドラム１に巻き取られた線材Ｗをダイス３を通して他方のドラム２に止着し、このドラム２を巻取回転ＲＭさせると共にドラム１を繰出回転ＲＨさせ、かつ、制御部７により一方のドラム１から上記ダイス３を通過して他方のドラム２に至る線材ＷのパスラインＰＬを一定にすると共に線材Ｗの干渉巻きを回避すべく上記一対のドラム１・２を互いに異方向に移動させて線材の損傷を防いで再伸線することになり、これらドラム１・２による伸線を必要に応じて繰り返すことなる。
【００２０】
従って、線材Ｗを掛架可能な並列一対のドラム１・２及びドラム１・２間に配置されたダイス３により線材Ｗを伸線するに際し、上記一対のドラム１・２をそれぞれ巻取回転ＲＭ及び逆回りの繰出回転ＲＨ自在に設けると共に一対のドラム１・２をそれぞれドラム１・２の軸線Ｏ１・Ｏ２方向に互いに異方向往復移動自在に設け、かつ、上記ダイス３をダイス径の異なるダイス３に交換自在に設け、一方のドラム１から上記ダイス３を通過して他方のドラム２に至る線材ＷのパスラインＰＬを一定にすると共に線材Ｗの干渉巻きを回避すべく上記一対のドラム１・２を互いに異方向に移動させて線材の損傷を防いで伸線し、次いで、上記ダイス径の異なるダイス３に交換すると共に他方のドラム２からダイス３を通過して一方のドラム１に至る線材ＷのパスラインＰＬを一定にすると共に線材Ｗの干渉巻きを回避すべく上記一対のドラム１・２を互いに異方向に移動させて線材の損傷を防いで再伸線することになり、伸線構造を簡素化することができると共に装置の設置スペースを小さくすることができ、かつ、線材を重ねずに巻き取ることができて線材の損傷を防ぐことができ、伸線作業性を高めることができる。
【００２１】
又、この場合、上記線材Ｗの両端部を上記一対のドラム１・２にそれぞれ止着する止着具４を設けてなるから、上記一対のドラム１・２に対する線材Ｗの両端部の止着を容易に行うことができ、又、この場合、上記止着具４は一方端部に上記線材Ｗの端部に係脱可能な線材係脱部５及び他方端部に上記ドラム１・２に係脱可能なドラム係脱部６をもつ鎖部材からなるので、上記一対のドラム１・２に対する線材Ｗの両端部の止着を確実に行うことができる。
【００２２】
尚、本発明は上記実施の形態例に限られるものではなく、ドラム１・２、ダイス３、止着具４、制御部７の構造や回路要素等は適宜変更して設計される。
【００２３】
以上、所期の目的を充分達成することができる。
【図面の簡単な説明】
【００２４】
【図１】本発明の実施の形態例の全体正面図である。
【図２】本発明の実施の形態例の全体平面図である。
【図３】本発明の実施の形態例の部分側面図である。
【図４】本発明の実施の形態例の部分側面図である。
【図５】本発明の実施の形態例の部分平面図である。
【図６】本発明の実施の形態例の作動状態の説明平面図である。
【図７】本発明の実施の形態例の作動状態の説明平面図である。
【図８】本発明の実施の形態例の作動状態の説明正面図である。
【図９】本発明の実施の形態例の作動状態の説明平面図である。
【図１０】本発明の実施の形態例の作動状態の説明正面図である。
【符号の説明】
【００２５】
Ｗ    線材
１    ドラム
２    ドラム
３    ダイス
４    止着具
５    線材係脱部
６    ドラム係脱部
７    制御部
【図１】
0004665193.tif 000002
【図２】
0004665193.tif 000003
【図３】
0004665193.tif 000004
【図４】
0004665193.tif 000005
【図５】
0004665193.tif 000006
【図６】
0004665193.tif 000007
【図７】
0004665193.tif 000008
【図８】
0004665193.tif 000009
【図９】
0004665193.tif 000010
【図１０】
0004665193.tif 000011